(57)【特許請求の範囲】
【請求項１】
両端に口金を有する直管形ランプの一端の口金に設けられ脚部と当該脚部より太い先端部とを有する第一の端子を接続する第一のランプソケットと、上記直管形ランプの他端の口金に設けられた第二の端子を接続する第二のランプソケットとを有する照明器具において、
上記第一のランプソケットは、
上記照明器具の本体の下側に固定されたソケット本体と、
上記ソケット本体に対して、上記直管形ランプの長手方向に移動可能に設けられ、上記直管形ランプの第一の端子を乗せ掛ける可動部と、
上記直管形ランプの第一の端子の先端部の太さより小さく上記可動部の上面に設けられ、上記可動部に乗せ掛けられた上記直管形ランプの第一の端子の脚部と係合する窪み部と、
上記ソケット本体に設けられ、上記可動部に乗せ掛けられた上記直管形ランプに向かって上記可動部を押し出すバネとを有し、
上記バネが上記可動部を少なくとも最も押し出した状態では、上記可動部の一部が上記ソケット本体の外側に突出し、
上記第二のランプソケットは、
上記第二のランプソケットの本体に対して、回転可能に設けられ、回転角度が第一の角度の状態で上記直管形ランプの他端の口金が挿される口金受け部と、
上記口金受け部の一端面に設けられ、上記口金受け部に挿された上記直管形ランプの他端の口金と係合する溝部と、
上記第二のランプソケットの本体に設けられ、上記口金受け部の回転角度が上記第一の角度と異なる第二の角度の状態で上記直管形ランプの第二の端子と接触する接点とを有し、
上記可動部が上記第二のランプソケットに最も近い位置にある状態では、上記可動部の上記窪み部を除く部分と上記第二のランプソケットとの最大間隔が、上記直管形ランプの長さより短い照明器具。
【請求項２】
上記ソケット本体は、上記可動部と当接することにより、上記可動部が所定の範囲を超えて移動するのを防ぐ当接部を有する請求項１に記載の照明器具。
【発明の詳細な説明】
【技術分野】
【０００１】
この発明は、直管形ランプを照明器具に取り付けるランプソケットに関する。
【背景技術】
【０００２】
直管形ランプは、両端に端子を有し、両端の端子をそれぞれランプソケットに係合させて、照明器具に物理的に固定するとともに、電気的な接続をする。ランプソケットの形状には、様々なものがあるが、例えば、端子を差し込んで押し込むタイプのものや、ランプを回転させて固定するタイプのものがある。
【先行技術文献】
【特許文献】
【０００３】
【特許文献１】特開２０１０−１７０９０３号公報
【特許文献２】特開２００６−２９４６３８号公報
【特許文献３】特開２００８−３１１０４５号公報
【特許文献４】国際公開第２００８／００１５６４号
【発明の概要】
【発明が解決しようとする課題】
【０００４】
天井面などに取り付けられた照明器具の場合、ランプの取付けや取外しは、高い所で、上を向いた状態での作業となる。このため、ランプを誤って落下させてしまう可能性がある。特に、近年普及してきたＬＥＤランプは、従来の放電灯よりも重いので、その可能性が高い。
この発明は、例えば、上記のような課題を解決するためになされたものであり、直管形ランプの取付け時や取り外し時に、ランプを誤って落下させるのを防ぐことを目的とする。
【課題を解決するための手段】
【０００５】
この発明にかかるランプソケットは、両端に端子を有する直管形ランプの一端に設けられた第一の端子を接続するランプソケットにおいて、照明器具の本体に固定されたソケット本体と、上記ソケット本体に対して、上記直管形ランプの長手方向に移動可能に設けられ、上記直管形ランプの第一の端子を乗せ掛ける可動部と、上記可動部の上面に設けられ、上記可動部に乗せ掛けられた上記直管形ランプの第一の端子と係合する窪み部と、上記ソケット本体に設けられ、上記可動部に乗せ掛けられた上記直管形ランプに向かって上記可動部を押し出す力を発揮するバネとを有し、少なくとも上記バネの応力が最大に発揮された状態では、上記可動部の一部が上記ソケット本体の外側に突出することを特徴とする。
【発明の効果】
【０００６】
この発明にかかるランプソケットによれば、可動部に、直管形ランプの第一の端子を乗せ掛け、第一の端子と係合する窪み部が設けられているので、直管形ランプを誤って落下させてしまうのを防ぐことができる。
【図面の簡単な説明】
【０００７】
【図１】実施の形態１における照明器具８００の外観を示す斜視図。
【図２】実施の形態１における照明器具８００に接続される直管形ランプ２００の外観を示す投影図。
【図３】実施の形態１におけるランプソケット３００の構造を示す斜視図。
【図４】実施の形態１におけるランプソケット１００の構造を示す投影図。
【図５】実施の形態１における口金受け部１２０の構造を示す投影図及び断面図。
【図６】実施の形態１における接地板１３０の構造を示す投影図及び展開図。
【図７】実施の形態１における蓋部１１０の構造を示す投影図及び断面図。
【図８】実施の形態１における基部１４０の構造を示す投影図及び断面図。
【図９】実施の形態１における内部接触部１６０の構造を示す投影図及び展開図。
【図１０】実施の形態１における仲介接触部１７０の構造を示す投影図及び展開図。
【図１１】実施の形態１における接地板１３０と内部接触部１６０と仲介接触部１７０との位置関係を示す図。
【図１２】実施の形態１における照明器具本体４００の構造を示す一部拡大分解斜視図。
【図１３】実施の形態１における照明器具８００の組み立て過程を示す一部拡大斜視図。
【図１４】実施の形態１における照明器具８００の組み立て過程を示す一部拡大斜視図。
【図１５】実施の形態１における２つのランプソケット１００，３００の位置関係を示す図。
【図１６】実施の形態１における照明器具８００に直管形ランプ２００を誤った手順で取り付けようとした状態を示す図。
【図１７】実施の形態１における照明器具８００に直管形ランプ２００を取り付ける手順を示す図。
【発明を実施するための形態】
【０００８】
実施の形態１．
実施の形態１について、図１〜図１７を用いて説明する。
【０００９】
図１は、この実施の形態における照明器具８００の外観を示す斜視図である。
照明器具８００は、天井などに取り付けて使用する。照明器具８００は、直管形ランプ２００を着脱自在に接続可能である。照明器具８００は、照明器具本体４００と、反射板５００と、２つのランプソケット１００，３００とを有する。２つのランプソケット１００，３００は、直管形ランプ２００を物理的に固定するとともに、電気的に接続する。照明器具本体４００は、内部に電源ユニットなどを内蔵する。電源ユニットは、直管形ランプ２００を点灯する電力を、直管形ランプ２００に対して供給する。反射板５００は、照明器具本体４００の下側の面を覆い、二つの貫通穴（ランプソケット貫通穴）を有する。ランプソケット１００，３００は、照明器具本体４００に固定されていて、反射板５００に設けられた貫通穴から外部に露出している。
【００１０】
図２は、この実施の形態における照明器具８００に接続される直管形ランプ２００の外観を示す投影図である。
なお、長手方向中央付近は、省略している。
直管形ランプ２００は、略円柱状（直管形状）であり、ＬＥＤ素子などの光源を内蔵している。直管形ランプ２００は、照明器具８００から供給される電力により、発光する。直管形ランプ２００は、ランプ本体２３０と、アース側口金２１０と、電源側口金２２０とを有する。
ランプ本体２３０は、略円柱状であり、光源が配設された基板などを内蔵している。ランプ本体２３０は、照射部２３１と、放熱部２３２とを有する。照射部２３１は、略半円筒状であり、ガラスや樹脂などにより形成されている。照射部２３１は、透明もしくは半透明であり、光源が放射した光を透過して、外部へ照射する。放熱部２３２は、略半円柱状であり、金属などにより形成されている。放熱部２３２は、熱伝導率が高く、光源が発光する際に発生する熱を外部へ放熱する。
電源側口金２２０は、ランプ本体２３０の一方の端に位置する。電源側口金２２０は、ランプソケット３００に接続される。電源側口金２２０は、２つの給電ピン２２１と、底面部２２２と、凸部２２３と、側面部２２４とを有する。側面部２２４は、略円筒状であり、ランプ本体２３０とほぼ同じ径を有する。底面部２２２（ランプ受け部）は、略円板状であり、側面部２２４の端に繋がっている。凸部２２３（ランプ引っ掛け部）は、底面部２２２の直径を中心とする所定の幅の範囲が、直管形ランプ２００の長手方向へ突出した形状である。凸部２２３は、照射部２３１と放熱部２３２との境目に対して略平行である。凸部２２３は、側面部２２７と、底面部２２８とを有する。底面部２２８（引っ掛け部底面）は、底面部２２２に対して略平行な面である。側面部２２７（引っ掛け部側面）は、底面部２２８に対して略垂直な面である。２つの給電ピン２２１（第二の端子）は、それぞれＬ字形状であり、底面部２２２の中心に対して互いに略対称な位置に設けられている。給電ピン２２１は、先端部２２５と、脚部２２６とを有する。脚部２２６（給電ピン軸部）は、略長方形板状であり、底面部２２８に対して略垂直である。先端部２２５（給電ピン抜け止め部）は、脚部２２６の先端が外側に折れ曲がった形状であり、底面部２２８に対して略平行である。２つの給電ピン２２１は、ランプソケット３００（電源供給側ソケット）を介して、照明器具８００の電源ユニットに電気接続し、電源ユニットから供給される電力を入力する。直管形ランプ２００の光源は、給電ピン２２１から供給される電力により点灯する。
アース側口金２１０は、ランプ本体２３０の電源側口金２２０とは反対側の端に位置する。アース側口金２１０は、ランプソケット１００に接続される。アース側口金２１０は、アースピン２１１と、底面部２１２と、側面部２１４とを有する。側面部２１４は、略円筒状であり、ランプ本体２３０とほぼ同じ径を有する。底面部２１２（ランプ受け部）は、略円板状であり、側面部２１４の端に繋がっている。アースピン２１１（第一の端子）は、接地用であり、Ｔ字形状であって、底面部２１２の略中心に位置する。アースピン２１１は、先端部２１５と、脚部２１６とを有する。脚部２１６（円柱側面）は、略円柱状であり、底面部２１２に対して略垂直である。先端部２１５（円柱底面）は、略長円板状であり、底面部２１２に対して略平行である。先端部２１５の長軸は、照射部２３１と放熱部２３２との境目に対して略平行である。アースピン２１１は、ランプソケット１００を介して接地される。これにより、使用者が直管形ランプ２００の金属部分に触れた場合でも、感電の恐れが減り、安全性が高まる。
【００１１】
図３は、この実施の形態におけるランプソケット３００の構造を示す斜視図である。
ランプソケット３００は、直管形ランプ２００の電源側口金２２０と接続する。ランプソケット３００は、略半円柱と直方体とが結合した形状である。ランプソケット３００は、蓋部３１０と、口金受け部３２０と、基部３４０とを有する。蓋部３１０と基部３４０とは、嵌合して、ランプソケット３００の外形を形成する。蓋部３１０は、直方体状の部分の側面にスリットを有する。基部３４０も、蓋部３１０のスリットに対応する位置にスリットを有する。蓋部３１０のスリットと、基部３４０のスリットとが合わさって、全体として、取付け溝部３５０をなす。取付け溝部３５０は、照明器具本体４００と係合して、ランプソケット３００を照明器具本体４００に固定する。また、蓋部３１０は、半円柱状の部分の先端側面に、切欠き部３１１を有する。口金受け部３２０は、略円柱状であり、円柱の軸を中心として、回転可能である。口金受け部３２０は、溝部３２１を有する。溝部３２１（電源供給側口金取付部）は、口金受け部３２０の直径を中心として所定の幅の範囲を溝状に削った形状である。溝部３２１は、電源側口金２２０の凸部２２３と係合する。
直管形ランプ２００の取り付け時には、あらかじめ、溝部３２１と切欠き部３１１とが一致する方向に、口金受け部３２０を回転しておく。電源側口金２２０の凸部２２３を下方向からスライドさせて、溝部３２１と係合させる。次に、直管形ランプ２００を回すことにより、口金受け部３２０を９０度回転させると、ランプソケット３００の内部に設けられた接点と給電ピン２２１とが接触して、電気的に接続される。
逆に、直管形ランプ２００の取り外し時には、直管形ランプ２００を回して、口金受け部３２０を回転させると、ランプソケット３００の内部に設けられた接点と給電ピン２２１とが離れて、電気的接続が解除される。溝部３２１と切欠き部３１１とが一致すると、電源側口金２２０を下方向へスライドさせられるようになり、直管形ランプ２００を取り外すことができる。
【００１２】
図４は、この実施の形態におけるランプソケット１００の構造を示す投影図である。
ランプソケット１００は、直管形ランプ２００のアース側口金２１０と接続する。ランプソケット１００は、ランプソケット３００と同様、略半円柱と直方体とが結合した形状である。ランプソケット１００は、蓋部１１０と、口金受け部１２０と、接地板１３０と、基部１４０と、仲介接触部１７０とを有する。蓋部１１０と基部１４０（ベース）とは、嵌合して、ランプソケット１００の外形（ソケット本体）を形成する。蓋部１１０は、直方体状の部分の側面にスリットを有する。基部１４０も、蓋部１１０のスリットに対応する位置にスリットを有する。蓋部１１０のスリットと、基部１４０のスリットとが合わさって、全体として、取付け溝部１５０をなす。口金受け部１２０（可動部）は、半円柱状であり、直管形ランプ２００の長手方向に移動可能である。口金受け部１２０は、口金受け部３２０と異なり、回転はしない。口金受け部１２０は、アース側口金２１０のアースピン２１１を乗せて、アースピン２１１と係合する。接地板１３０（電気接続部）は、口金受け部１２０に乗せられたアースピン２１１と接触して、電気的に接続する。仲介接触部１７０は、図示していない内部接触部１６０を介して、接地板１３０と電気的に接続している。仲介接触部１７０は、先端が取付け溝部１５０から外部に露出している。仲介接触部１７０は、照明器具本体４００に接触することにより、電気的に接続し、接地板１３０に接触したアースピン２１１を接地させる。
直管形ランプ２００の取り付け時には、口金受け部１２０の上にアースピン２１１を乗せて係合させる。次に、直管形ランプ２００を押すことにより、口金受け部１２０をランプソケット１００の中に押し込む。これにより、アースピン２１１が接地板１３０に確実に接触する。
【００１３】
図５は、この実施の形態における口金受け部１２０の構造を示す投影図及び断面図である。
口金受け部１２０は、プラスチックなどにより形成されている。口金受け部１２０は、受け部本体１２１と、つば部１２４とを有する。受け部本体１２１は、上側が平らな略半円柱状である。つば部１２４（飛び出し防止突起）は、受け部本体１２１の一方の略半円状の面の周囲からつば状に突出している。つば部１２４は、受け部本体１２１の上側の面の中央付近を除く全周に設けられている。受け部本体１２１は、先端係合部１２６と、脚係合部１２２と、接地板案内部１２３と、接地板係合部１２５とを有する。先端係合部１２６（アースピン円柱底面接触部、窪み部）は、受け部本体１２１の上側の面に設けられた凹部であり、アースピン２１１の先端部２１５と係合する。脚係合部１２２（アースピン円柱側面接触部、窪み部）は、受け部本体１２１のつば部１２４が設けられた面とは反対側の略半円状の面と先端係合部１２６とを繋ぐ凹部であり、アースピン２１１の脚部２１６と係合する。脚係合部１２２は、アースピン２１１の先端部２１５より小さく、先端係合部１２６及び脚係合部１２２（口金ピン接触部）に係合したアースピン２１１が抜け落ちるのを防ぐ。接地板案内部１２３（接地板受け部）は、受け部本体１２１のつば部１２４が設けられた略半円状の面に設けられた折れ線状の凸部である。接地板係合部１２５（接地板取付ミゾ）は、受け部本体１２１の上側の面に設けられた凹部であり、受け部本体１２１のつば部１２４が設けられた面の接地板案内部１２３に囲まれた領域と先端係合部１２６とを繋いでいる。
【００１４】
図６は、この実施の形態における接地板１３０の構造を示す投影図及び展開図である。
接地板１３０は、導電性を有する金属などにより形成されている。接地板１３０は、板状の材料を折り曲げて形成される。接地板１３０は、内部当接部１３３と、架橋部１３２と、底面受け部１３４と、側面受け部１３１とを有する。内部当接部１３３は、凸字状である。架橋部１３２は、略長方形状であり、内部当接部１３３に対して略垂直に設けられている。底面受け部１３４は、略半円状であり、架橋部１３２に対して略垂直、内部当接部１３３に対して略平行である。架橋部１３２は、内部当接部１３３の上端と、底面受け部１３４の上端との間を繋いでいる。側面受け部１３１は、底面受け部１３４を底面とする柱の側面をなす形状の曲面である。内部当接部１３３が、口金受け部１２０の接地板案内部１２３に囲まれた領域に係合し、架橋部１３２が、接地板係合部１２５に係合し、底面受け部１３４及び側面受け部１３１が、先端係合部１２６に係合することにより、接地板１３０は、口金受け部１２０に取り付けられる。アースピン２１１の先端部２１５は、側面受け部１３１や底面受け部１３４に接触して電気的に接続する。アースピン２１１は、主に、底面受け部１３４に押し当てられることにより、確実に電気接続する。
【００１５】
図７は、この実施の形態における蓋部１１０の構造を示す投影図及び断面図である。
蓋部１１０は、プラスチックなどにより形成されている。蓋部１１０は、前面部１１７と、側面部１１８と、上面部１１９とを有する。前面部１１７は、略半円と略長方形とを結合した形の板状である。側面部１１８は、曲面板状であり、前面部１１７の周囲から、前面部１１７に対して略垂直な方向へ延びている。上面部１１９は、平面板状であり、前面部１１７の上側の辺から、側面部１１８と同じ方向へ延びている。前面部１１７は、切欠き部１１６と、円筒部１１５と、円筒底面部１１３とを有する。切欠き部１１６は、前面部１１７の上側の辺に接する略長方形状の切欠きである。上面部１１９は、切欠き部１１６のある部分には設けられていないので、左右２つの部分に分かれている。円筒部１１５（当接部）は、円筒板状であり、前面部１１７の略半円部分と略同心に設けられた穴の内側の側面をなす。円筒底面部１１３（抜け止め部、当接部）は、略半円板状であり、円筒部１１５の内側に設けられ、前面部１１７に対して略平行である。円筒底面部１１３が設けられていない円筒部１１５の内側は、貫通穴１１４を形成している。貫通穴１１４は、円筒底面部１１３の下側に位置する。貫通穴１１４は、口金受け部１２０の受け部本体１２１と係合する形状であり、受け部本体１２１が通るが、つば部１２４は通らない大きさを有する。円筒底面部１１３や円筒部１１５は、つば部１２４に当接することにより、口金受け部１２０が蓋部１１０から抜け落ちるのを防ぐ。側面部１１８は、２つのスリット１１１と、３つの嵌合穴１１２とを有する。スリット１１１（取付ミゾ）は、側面部１１８の上端付近、後方側に設けれられた切欠きである。スリット１１１は、前述した取付け溝部１５０を形成する。嵌合穴１１２（嵌合用角穴）は、側面部１１８の左右中央付近及び下側に設けられた長方形状の貫通穴である。
【００１６】
図８は、この実施の形態における基部１４０の構造を示す投影図及び断面図である。
基部１４０は、プラスチックなどにより形成されている。基部１４０は、背面部１４８と、上面部１４７とを有する。背面部１４８は、皿状であり、底面が、略半円と略長方形とを結合した形状で、その周囲に、底面に対して略垂直な縁を有する。上面部１４７は、長方形板状であり、背面部１４８に対して略垂直に、背面部１４８の上端から繋がる位置に設けられている。上面部１４７の先端には、直方体状の部分がある。上面部１４７の幅は、背面部１４８の幅よりも狭く、蓋部１１０の切欠き部１１６に係合する。背面部１４８は、２つのスリット１４１と、３つの爪部１４２と、２つのバネ係合部１４３と、隔壁部１４５と、２つの接触片係合部１４４とを有する。スリット１４１（取付ミゾ）は、背面部１４８の上端付近の左右に設けられた切欠きである。スリット１４１は、前述した取付け溝部１５０を形成する。爪部１４２（鍵状突起）は、背面部１４８の左右中央付近及び下側に設けられた爪状の突起である。爪部１４２は、蓋部１１０の嵌合穴１１２に嵌合して、蓋部１１０を固定する。バネ係合部１４３（円錐状突起）は、円錐台状の突起であり、背面部１４８の内側、略半円形状の部分の中央付近に左右に並んで設けられている。バネ係合部１４３は、接地板１３０の内部当接部１３３の位置の略正面に位置する。隔壁部１４５（突起）は、厚板状であり、背面部１４８の内側、左右対称軸上に設けられている。接触片係合部１４４（板状突起）は、板状であり、隔壁部１４５の上端に隣接して左右に設けられている。上面部１４７（ソケット前面部）は、２つの嵌合突起部１４６を有する。嵌合突起部１４６（突起）は、略直方体状の突起であり、上面部１４７の内側に左右に並んで設けられている。嵌合突起部１４６の間隔は、バネ係合部１４３の間隔とほぼ等しい。
【００１７】
図９は、この実施の形態における内部接触部１６０の構造を示す投影図及び展開図である。
内部接触部１６０（内部接触片）は、ランプソケット１００の内部に２つ配置され、接地板１３０及び仲介接触部１７０に接触して、電気的に接続する。内部接触部１６０は、銅や銅合金など導電性の高い金属などにより形成されている。内部接触部１６０は、細長い板状の材料を折り曲げて形成される。内部接触部１６０は、接地板当接部１６１と、腕部１６９と、基部係合部１６７と、脚部１６８とを有する。接地板当接部１６１（押さえ部）は、内部接触部１６０の一方の端に位置する。接地板当接部１６１は、接地板１３０の内部当接部１３３と当接して電気接続する。接地板当接部１６１は、バネ係合部１６２を有する。バネ係合部１６２（バネ押し当て部）は、プレス成形などにより、接地板当接部１６１の略中央に設けられた突起である。バネ係合部１６２は、基部１４０のバネ係合部１４３と対向する位置に配置される。対向するバネ係合部１４３，１６２の間に、コイルバネなどを設けることにより、接地板当接部１６１を内部当接部１３３に押し当てる力を発生させる。バネ係合部１６２は、コイルバネを配置するときのガイド兼目印になる。腕部１６９は、略Ｌ字状に折れ曲がった形状であり、接地板当接部１６１と基部係合部１６７とを繋いでいる。基部係合部１６７（折り曲げ部）は、基部１４０の接触片係合部１４４に係合するよう、折れ曲げられている。脚部１６８は、内部接触部１６０のもう一方の端に位置する。脚部１６８は、爪部１６６と、穴１６５と、嵌合切欠き部１６３と、山折れ部１６４とを有する。爪部１６６（引っ掛り部）は、脚部１６８の略中央付近をコ字状に切り抜いて折り曲げることにより形成され、切り抜かれたあとに穴１６５（角穴）が形成される。爪部１６６は、接触片係合部１４４に当接することにより、内部接触部１６０が外れるのを防ぐ。嵌合切欠き部１６３（切欠き）は、脚部１６８の先端に設けられた切欠きである。嵌合切欠き部１６３は、基部１４０の嵌合突起部１４６と嵌合する。山折れ部１６４（山折り部）は、脚部１６８の先端、嵌合切欠き部１６３の両側の部分を、内部接触部１６０の長手方向に山折りすることにより形成される。山折れ部１６４は、仲介接触部１７０と当接して電気接続する。
【００１８】
図１０は、この実施の形態における仲介接触部１７０の構造を示す投影図及び展開図である。
仲介接触部１７０（コ字形接触片）は、導電性を有する金属などにより形成されている。仲介接触部１７０は、細長い板状の材料を折り曲げて形成される。仲介接触部１７０は、中央部１７４と、２つの接続部１７２と、２つの翼部１７３とを有する。中央部１７４（底面部）は、略長方形板状である。中央部１７４は、２つの嵌合切欠き部１７１を有する。嵌合切欠き部１７１（切欠き）は、左右対称に設けられた切欠きである。嵌合切欠き部１７１は、基部１４０の嵌合突起部１４６と嵌合する。接続部１７２（器具接触部）は、略長方形板状である。接続部１７２は、中央部１７４に対して略垂直に、中央部１７４の両端に設けられている。翼部１７３（平面部）は、略長方形板状である。翼部１７３は、接続部１７２に対して略垂直、中央部１７４に対して略平行に、接続部１７２の更に先に設けられている。翼部１７３の先端は、取付け溝部１５０から、ランプソケット１００の外部に露出する。
【００１９】
図１１は、この実施の形態における接地板１３０と内部接触部１６０と仲介接触部１７０との位置関係を示す図である。
上述したように、接地板１３０は、口金受け部１２０に係合して固定されている。内部接触部１６０は、嵌合切欠き部１６３が基部１４０の嵌合突起部１４６に嵌合し、爪部１６６が基部１４０の接触片係合部１４４に引っかかることにより固定される。また、内部接触部１６０を基部１４０の隔壁部１４５に沿って両側に配置することにより、内部接触部１６０が横方向にずれるのを防いでいる。仲介接触部１７０は、嵌合切欠き部１７１が基部１４０の嵌合突起部１４６に嵌合し、翼部１７３が基部１４０のスリット１４１や蓋部１１０のスリット１１１と係合することにより固定されている。コイルバネ１８０（バネ）は、左右に１つずつ設けられている。コイルバネ１８０は、基部１４０のバネ係合部１４３と、内部接触部１６０のバネ係合部１６２との間に位置する。コイルバネ１８０は、弾性を有する。２つのバネ係合部１４３，１６２の間の間隔は、コイルバネ１８０の自然な長さより短く、コイルバネ１８０は、伸びようとする応力を発揮する。
内部接触部１６０と接地板１３０との間は、内部接触部１６０の接地板当接部１６１と、接地板１３０の内部当接部１３３とが当接することにより、電気的に接続している。接地板当接部１６１と内部当接部１３３とは、コイルバネ１８０の応力によって押し付けられているので、確実に電気接続する。
内部接触部１６０と仲介接触部１７０との間は、内部接触部１６０の山折れ部１６４と、仲介接触部１７０の中央部１７４とが当接することにより、電気的に接続している。
【００２０】
口金受け部１２０に、直管形ランプ２００のアース側口金２１０を係合させて、口金受け部１２０を押し込む方向に力を加えると、アースピン２１１の先端部２１５が、接地板１３０の底面受け部１３４に押し当てられ、アースピン２１１と接地板１３０とが電気接続する。このとき、コイルバネ１８０が縮んで応力が強くなるので、内部接触部１６０と接地板１３０との電気接続は、更に確実になる。また、内部接触部１６０には、接触片係合部１４４と係合した基部係合部１６７を支点として回転させる力が働くため、山折れ部１６４が仲介接触部１７０の中央部１７４に強く押し当てれられ、内部接触部１６０と仲介接触部１７０との電気接続も、確実なものとなる。
【００２１】
図１２は、この実施の形態における照明器具本体４００の構造を示す一部拡大分解斜視図である。
照明器具本体４００は、本体箱部４１０と、本体端部４２０とを有する。本体箱部４１０（取付部）は、導電性の金属などにより形成されている。本体箱部４１０は、板状の材料をコ字状に折り曲げた形状である。本体箱部４１０は、ネジ穴４１２を有する。本体端部４２０は、導電性の金属などにより形成されている。本体端部４２０は、本体箱部４１０の側方を塞ぐとともに、ランプソケット１００，３００や反射板５００などを取り付ける部分である。本体端部４２０は、ソケット取付け部４２１と、ネジ穴４２２，４２３を有する。ネジ穴４２３は、本体箱部４１０のネジ穴４１２に対応する位置に設けられている。取付けネジ４１１を、ネジ穴４１２，４２３に螺合することにより、本体箱部４１０と本体端部４２０とが固定される。ソケット取付け部４２１は、ランプソケット１００，３００の取付け溝部１５０，３５０に嵌合する。ネジ穴４２２は、反射板５００を固定するためのネジを取り付ける。本体箱部４１０は、接地する。本体端部４２０は、本体箱部４１０と接触して電気的に接続しているので、本体端部４２０も接地される。
【００２２】
図１３は、この実施の形態における照明器具８００の組み立て過程を示す一部拡大斜視図である。
上述したように、ランプソケット１００は、取付け溝部１５０をソケット取付け部４２１に嵌合させることにより、照明器具本体４００に取り付けられる。取付け溝部１５０からは、仲介接触部１７０の翼部１７３が外部に露出しているので、ソケット取付け部４２１と翼部１７３とが接触する。また、ランプソケット１００の内部では、ソケット取付け部４２１と接続部１７２とが接触する。このように、ソケット取付け部４２１と仲介接触部１７０とが接触することにより、電気的に接続する。
また、本体箱部４１０には、端子台４３０が取付けネジ４３１により固定される。
【００２３】
図１４は、この実施の形態における照明器具８００の組み立て過程を示す一部拡大斜視図である。
ランプソケット１００の取付け溝部１５０をソケット取付け部４２１に嵌合させたのち、反射板５００を取り付ける。反射板５００は、導電性の金属などにより形成されている。反射板５００は、板状の材料をコ字状に折り曲げた形状である。反射板５００は、ソケット貫通穴５１０と、折返し部５１１と、ネジ穴５２１とを有する。ソケット貫通穴５１０は、ランプソケット１００，３００を照明器具８００の外部に露出させるための穴である。折返し部５１１は、ソケット貫通穴５１０を設けた際に切り抜いた部分を完全には切り取らずに残し、内側に折り曲げたものである。ソケット貫通穴５１０は、ランプソケット１００の蓋部１１０及び基部１４０によって形成される部分の大きさに合わせて設けられているので、口金受け部１２０を押し込まなければ、ランプソケット１００をソケット貫通穴５１０に通すことができない。折返し部５１１を口金受け部１２０に押し当てることにより、口金受け部１２０を押し込む作業が容易になる。ネジ穴５２１は、本体端部４２０のネジ穴４２２に対応する位置に設けられている。取付けネジ５２２（つまみネジ）を、ネジ穴５２１，４２２に螺合することにより、反射板５００と照明器具本体４００とが固定される。
【００２４】
図１５は、この実施の形態における２つのランプソケット１００，３００の位置関係を示す図である。
照明器具８００において、２つのランプソケット１００，３００の間隔は、直管形ランプ２００の長さ７０２（アース側口金２１０の底面部２１２と、電源側口金２２０の底面部２２２との間の距離）よりも若干長い。ただし、ランプソケット１００の口金受け部１２０は、何も力を加えなければ、コイルバネ１８０の応力により、つば部１２４が円筒底面部１１３や円筒部１１５に当たる位置まで押し出されている。このとき、口金受け部１２０とランプソケット３００との間隔７０１は、直管形ランプ２００の長さ７０２よりも短い。すなわち、口金受け部１２０をランプソケット１００の中へ押し込まなければ、照明器具８００に直管形ランプ２００を取り付けることができないようにしている。
【００２５】
図１６は、この実施の形態における照明器具８００に直管形ランプ２００を誤った手順で取り付けようとした状態を示す図である。
直管形ランプ２００の取り付け時において、使用者が、アース側口金２１０をランプソケット１００に挿すよりも先に、電源側口金２２０をランプソケット３００に挿そうとすると、口金受け部１２０がアース側口金２１０に当たって、うまく取り付けることができない。直管形ランプ２００が斜めになっているので、ランプソケット３００の口金受け部３２０を回すことができず、給電ピン２２１は接続されない。電源ユニットからの電力が直管形ランプ２００に供給されないので、使用者が誤って感電するおそれはない。
【００２６】
図１７は、この実施の形態における照明器具８００に直管形ランプ２００を取り付ける手順を示す図である。
使用者は、まず、アース側口金２１０をランプソケット１００に挿す。具体的には、アースピン２１１を口金受け部１２０の上に乗せ掛ける。口金受け部１２０には、アースピン２１１と係合する脚係合部１２２及び先端係合部１２６が設けられているので、ここにアースピン２１１が係合する。これにより、使用者が直管形ランプ２００を支えるのに必要な力が減るので、直管形ランプ２００を誤って落下させるのを防ぐことができる。
このままでは、まだ、電源側口金２２０をランプソケット３００に挿すことができないので、使用者は、直管形ランプ２００に力を加えることにより、口金受け部１２０を押し込む。これにより、アースピン２１１が、接地板１３０、内部接触部１６０、仲介接触部１７０、本体端部４２０を介して、本体箱部４１０と電気的に接続し、接地される。
その後、使用者は、電源側口金２２０をランプソケット３００に係合させ、ランプソケット３００の口金受け部３２０を回すことにより、給電ピン２２１を接続する。電源ユニットからの電力が直管形ランプ２００に供給されるが、アースピン２１１が接地されているので、使用者が誤って感電するおそれはない。
【００２７】
直管形ランプ２００の取り外し時には、先に、電源側口金２２０をランプソケット３００から外さなければ、アース側口金２１０をランプソケット１００から外すことができないので、電源ユニットからの電力供給が停止してから、アースピン２１１の接地が解除されることになり、使用者が誤って感電するおそれはない。
また、アースピン２１１が、口金受け部１２０の脚係合部１２２及び先端係合部１２６に係合しているので、電源側口金２２０をランプソケット３００から外しても、アースピン２１１は、口金受け部１２０に乗ったままの状態を保ち、不意に外れるようなことはない。これにより、直管形ランプ２００を誤って落下させるのを防ぐことができる。
【００２８】
なお、アースピン２１１の先端部２１５が長円形状であることを利用して、先端部２１５の長軸が略垂直方向を向いているとき、先端部２１５が、円筒底面部１１３に当接するよう、構成してもよい。そうすれば、直管形ランプ２００の取り付け時に、口金受け部１２０を押し込み過ぎるのを防ぐことができる。
【符号の説明】
【００２９】
１００，３００  ランプソケット、１１０，３１０  蓋部、１１１，１４１  スリット、１１２  嵌合穴、１１３  円筒底面部、１１４  貫通穴、１１５  円筒部、１１６  切欠き部、１１７  前面部、１１８  側面部、１１９  上面部、１２０，３２０  口金受け部、１２１  受け部本体、１２２  脚係合部、１２３  接地板案内部、１２４  つば部、１２５  接地板係合部、１２６  先端係合部、１３０  接地板、１３１  側面受け部、１３２  架橋部、１３３  内部当接部、１３４  底面受け部、１４０，３４０  基部、１４２，１６６  爪部、１４３，１６２  バネ係合部、１４４  接触片係合部、１４５  隔壁部、１４６  嵌合突起部、１４７  上面部、１４８  背面部、１５０，３５０  取付け溝部、１６０  内部接触部、１６１  接地板当接部、１６３，１７１  嵌合切欠き部、１６４  山折れ部、１６５  穴、１６７  基部係合部、１６８，２１６，２２６  脚部、１６９  腕部、１７０  仲介接触部、１７２  接続部、１７３  翼部、１７４  中央部、１８０  コイルバネ、２００  直管形ランプ、２１０  アース側口金、２１１  アースピン、２１２，２２２，２２８  底面部、２１４，２２４，２２７  側面部、２１５，２２５  先端部、２２０  電源側口金、２２１  給電ピン、２２３  凸部、２３０  ランプ本体、２３１  照射部、２３２  放熱部、３１１  切欠き部、３２１  溝部、４００  照明器具本体、４１０  本体箱部、４１１，４３１，５２２  取付けネジ、４１２，４２２，４２３，５２１  ネジ穴、４２０  本体端部、４２１  ソケット取付け部、４３０  端子台、５００  反射板、５１０  ソケット貫通穴、５１１  折返し部、７０１  間隔、７０２  長さ、８００  照明器具。
【図１】
0005889458.tif 000002
【図２】
0005889458.tif 000003
【図３】
0005889458.tif 000004
【図４】
0005889458.tif 000005
【図５】
0005889458.tif 000006
【図６】
0005889458.tif 000007
【図７】
0005889458.tif 000008
【図８】
0005889458.tif 000009
【図９】
0005889458.tif 000010
【図１０】
0005889458.tif 000011
【図１１】
0005889458.tif 000012
【図１２】
0005889458.tif 000013
【図１３】
0005889458.tif 000014
【図１４】
0005889458.tif 000015
【図１５】
0005889458.tif 000016
【図１６】
0005889458.tif 000017
【図１７】
0005889458.tif 000018